(57)【要約】【課題】様々な希望を持った不特定多数のユーザに対しても柔軟に対応でき、ユーザの希望する充電を行うことができる、充電スタンドを提供すること。【解決手段】充電スタンド１００は、充電電力生成部１０１と、制御部１０２と、スケジューラー１０３と、切換部１０４と、予約受付部１０５と、を有する。切換部１０４は、充電電力生成部１０１によって生成された充電電力を供給する充電対象車両を切り換える。予約受付部１０５は、受け付ける予約項目として、優先予約を含む。スケジューラー１０３は、優先予約が行われた車両を、順次予約が行われた車両に割り込ませて、先に電力供給が行われるようにスケジューリングする。【選択図】図１
2013042579.tif 000002
【特許請求の範囲】
【請求項１】
複数の充電対象車両に対して順次充電を行う充電スタンドであって、
車両に供給する充電電力を生成する充電電力生成部と、
前記充電電力生成部によって生成された充電電力を供給する充電対象車両を切り換える切換部と、
充電予約を受け付ける予約受付部と、
前記充電予約に基づいて、前記切換部のスケジューリングを行うスケジューラーと、
を具備し、
前記予約受付部は、受け付ける予約項目として、優先予約を含み、
前記スケジューラーは、前記優先予約が行われた車両を、順次予約が行われた車両に割り込ませて、先に電力供給が行われるようにスケジューリングする、
充電スタンド。
【請求項２】
前記予約受付部は、前記順次予約が行われた車両に、前記優先予約による割込を許可するか否かを問い合わせる、
請求項１に記載の充電スタンド。
【請求項３】
前記予約受付部は、タッチパネル構成であり、優先予約入力部及び繰り下げ許可入力部を有する、
請求項１又は請求項２に記載の充電スタンド。
【請求項４】
前記予約受付部は、さらに、他車の充電残量状況を表示する表示部を有する、
請求項３に記載の充電スタンド。
【請求項５】
前記スケジューラーは、
高速充電モード時には、複数の充電予約車両に対して、前記順次予約及び前記優先予約に基づくシリアル充電を行い、
普通充電モード時には、複数の充電予約車両に対して、パラレル充電を行う、
請求項１から請求項４のいずれか一項に記載の充電スタンド。
【請求項６】
前記優先予約を行う場合は、通常の充電料金に加えて追加料金を課金する、
請求項１から請求項５のいずれか一項に記載の充電スタンド。
【請求項７】
前記追加料金は、充電の順番が繰り下がる車両のユーザに配分される、
請求項６に記載の充電スタンド。
【請求項８】
前記追加料金は、充電の順番が繰り下がる車両のユーザに優待ポイントとして配分される、
請求項６に記載の充電スタンド。
【請求項９】
充電完了後の車両が引き続き前記充電スタンドを占有した場合には、所定時間経過ごとに所定の料金を課金する、
請求項１から請求項８のいずれか一項に記載の充電スタンド。
【請求項１０】
請求項１から請求項９のいずれか一項に記載の充電スタンドを一部または全体に有した駐車場システムであって、
充電料金及び駐車料金の少なくとも一方の課金を行う、
駐車場システム。
【請求項１１】
複数の充電対象車両に対して順次充電を行う充電スタンドによる充電方法であって、
充電電力を供給する充電対象車両を切り換える切換ステップと、
充電予約を受け付ける予約受付ステップと、
前記充電予約に基づいて、前記切換ステップのスケジューリングを行うスケジューリングステップと、
を含み、
前記予約受付ステップは、受け付ける予約項目として、優先予約を含み、
前記スケジューリングステップは、前記優先予約が行われた車両を、順次予約が行われた車両に割り込ませて、先に電力供給が行われるようにスケジューリングする、
充電方法。
【発明の詳細な説明】
【技術分野】
【０００１】
本発明は、充電スタンド及び充電スタンドによる充電方法に関し、特に、複数の電気車両を対象に普通充電又は急速充電を行う技術に関する。
【背景技術】
【０００２】
近年、電気自動車や電気バイクに代表されるような、電動機を動力源とするＥＶ(Electric Vehicle：以下これを電気車両と呼ぶ)が開発されている。また、これに伴って、電気車両への充電を行うための充電スタンドの開発も活発に行われている。
【０００３】
充電スタンドには、高速充電スタンドと呼ばれるものと、普通充電スタンドと呼ばれるものがある。
【０００４】
高速充電スタンドは、例えば三相２００Ｖの交流電源から、５０ＫＷや２０ＫＷ等の比較的大きな供給電力を生成可能であり、コンビニエンスストア、自治体、高速道路のサービスエリア／パーキングエリア、ショッピングセンター、レストラン、病院等への設置が想定されるものである。
【０００５】
高速充電スタンドを用いた車両１台当たりの充電時間（空の状態から８０％の充電状態にするまでにかかる時間）は、５０ＫＷの供給電力で１５−３０分程度、２０ＫＷの供給電力で３０−６０分程度である。
【０００６】
一方、普通充電スタンドは、例えば単相１００Ｖの交流電源から１．５ＫＷの供給電力を、単相２００Ｖの交流電源から４ＫＷの供給電力を生成するものであり、自宅や職場等への設置が想定されるものである。普通充電スタンドを用いた車両１台当たりの充電時間は、５−１４時間程度である。
【０００７】
ところで、充電スタンドは、通常、複数のユーザで共用される。特に、高速充電スタンドは、不特定多数のユーザに共用されることが想定され、その結果、順番待ちが起こることが想定される。ここで、充電スタンドの構成を並列充電が可能な構成とすれば、順番待ちを少なくできる。
【０００８】
しかし、５０ＫＷや２０ＫＷといった大電力を各車両に並列に供給する（複数台同時充電を行う）ためには、充電スタンドの構成が複雑化し、高コスト化が避けられない。よって、複数の充電要求車両がある場合には、順次充電を行う（順番に充電を行う）ことが普通である。自宅や集合住宅に配置される普通充電スタンドにおいても、並列充電（複数台同時充電）を行うことは、契約容量を超えてしまう可能性があるので、順次充電で済ますことができれば好ましい。
【０００９】
複数台の車両に順次充電を行う充電スタンドの構成は、例えば特許文献１に記載されている。
【００１０】
また、複数台の車両に順次充電を行う場合に、充電スケジュールを作成する充電制御装置が特許文献２に記載されている。充電スケジュールは、車両の使用開始時刻に基づいて行われる。これにより、特許文献２によれば、充電スタンドの容量範囲内で充電スケジュールに応じて複数の車両に充電がなされ、乗車開始時刻において充電が完了している可能性が高まるので、使いたいときに必要な車両が未充電で使えないことが少なくなる、といった効果が得られる。
【先行技術文献】
【特許文献】
【００１１】
【特許文献１】実用新案登録第３１５１０４７号公報
【特許文献２】特許第４３３３７９８号公報
【発明の概要】
【発明が解決しようとする課題】
【００１２】
ところで、特許文献２に記載された充電スケジュールは、主に、自宅に配置された普通充電スタンドを想定して考えられたものである。よって、充電スケジュールは、そもそも個人や家族といった特定のユーザの希望に応じて作成されるので、ユーザの希望に沿ったスケジュールを容易に作成でき、ユーザの希望に沿った充電を容易に行うことができると考えられる。
【００１３】
一方で、上述したようなコンビニエンスストア、自治体、高速道路のサービスエリア／パーキングエリア、ショッピングセンター、レストラン、病院等への設置が想定される充電スタンド（主に高速充電スタンド）は、不特定多数のユーザによって利用されるので（以下このように不特定多数のユーザによる利用が想定される充電スタンドを共用充電スタンドと呼ぶ）、各ユーザの希望に沿った充電スケジュールを作成するのは、容易ではない。例えば、特許文献２に記載されているような「使用開始時刻」に基づいて充電スケジュールを作成しようとした場合、共用充電スタンドでは、ほとんどのユーザができるだけ早い「使用開始時刻」を入力することが想定され、充電スケジュールを作成することが困難となる。
【００１４】
従来は、共用充電スタンドにおける充電スケジュールについては、十分な検討がなされておらず、様々な希望を持った不特定多数のユーザに対して、柔軟に対応するには未だ不十分であった。
【００１５】
本発明は、以上の点を考慮してなされたものであり、様々な希望を持った不特定多数のユーザに対しても柔軟に対応でき、ユーザの希望する充電を行うことができる、充電スタンド及び充電スタンドによる充電方法を提供することを目的とする。
【課題を解決するための手段】
【００１６】
本発明の充電スタンドの一つの態様は、複数の充電対象車両に対して順次充電を行う充電スタンドであって、車両に供給する充電電力を生成する充電電力生成部と、前記充電電力生成部によって生成された充電電力を供給する充電対象車両を切り換える切換部と、充電予約を受け付ける予約受付部と、前記充電予約に基づいて、前記切換部のスケジューリングを行うスケジューラーと、を具備し、前記予約受付部は、受け付ける予約項目として、優先予約を含み、前記スケジューラーは、前記優先予約が行われた車両を、順次予約が行われた車両に割り込ませて、先に電力供給が行われるようにスケジューリングする。
【００１７】
本発明の充電スタンドによる充電方法の一つの態様は、複数の充電対象車両に対して順次充電を行う充電スタンドによる充電方法であって、充電電力を供給する充電対象車両を切り換える切換ステップと、充電予約を受け付ける予約受付ステップと、前記充電予約に基づいて、前記切換ステップのスケジューリングを行うスケジューリングステップと、を含み、前記予約受付ステップは、受け付ける予約項目として、優先予約を含み、前記スケジューリングステップは、前記優先予約が行われた車両を、順次予約が行われた車両に割り込ませて、先に電力供給が行われるようにスケジューリングする。
【発明の効果】
【００１８】
本発明によれば、様々な希望を持った不特定多数のユーザに対しても柔軟に対応でき、ユーザの希望する充電を行うことができる、充電スタンド及び充電スタンドによる充電方法を実現できる。
【図面の簡単な説明】
【００１９】
【図１】実施の形態における充電スタンドの構成を示す図
【図２】予約受付部の構成例を示す図
【図３】実施の形態の動作の説明に供するフローチャート
【図４Ａ】実施の形態による課金処理の例を示すフローチャート
【図４Ｂ】実施の形態による課金処理の例を示すフローチャート
【発明を実施するための形態】
【００２０】
以下、本発明の実施の形態について図面を参照して詳細に説明する。
【００２１】
図１に、本実施の形態おける充電スタンドの全体構成を示す。なお、図１では、本発明の特徴に係わる主要部のみを示した。
【００２２】
充電スタンド１００は、コンビニエンスストア、自治体、高速道路のサービスエリア／パーキングエリア、ショッピングセンター、レストラン、病院等への設置が想定される高速充電スタンドである。つまり、充電スタンド１００は、５０ＫＷや２０ＫＷ等の比較的大きな供給電力を生成可能な構成とされている。但し、本発明の適用範囲は、高速充電スタンドに限らず、普通充電スタンドにも適用可能である。また、充電スタンドを一部又は全体に設置した駐車場システムにも適用可能である。
【００２３】
充電スタンド１００は、充電電力生成部１０１と、制御部１０２と、スケジューラー１０３と、切換部１０４と、予約受付部１０５と、ＩＤ認証部１０６と、課金部１０７と、を有する。
【００２４】
充電電力生成部１０１は、車両に供給する充電電力を生成する。具体的には、充電電力生成部１０１は、ＡＣ／ＤＣコンバータを有し、例えば、三相２００Ｖの交流電源から５０ＫＷの直流電力を生成する。充電電力生成部１０１の出力端子は、切換部１０４の入力端子に接続されている。
【００２５】
切換部１０４は、充電電力生成部１０１によって生成された充電電力を供給する充電対象車両を切り換える。切換部１０４には、複数の充電ケーブル（図の場合、４つの充電ケーブル）１１０が接続されている。各充電ケーブル１１０は、一端が切換部１０４に接続されていると共に他端が車両の蓄電池に接続される。この、車両の蓄電池に接続される充電ケーブル１１０の他端には、電気錠（ノズル錠）が設けられ、例えば、充電中に充電ケーブル１１０が所定の接続位置から脱落しないように、充電ケーブル１１０の電気車両への接続がロックされる。
【００２６】
切換部１０４は、所謂選択スイッチであり、制御部１０２からの制御信号に基づいて、充電電力生成部１０１と複数のケーブル１１０との接続を切り換える。切換部１０４は、高速充電モード時には、スケジューラー１０３で作成されたスケジュールに基づいて、充電電力生成部１０１で生成された電力がいずれか一つの車両に順次供給されるようにする。一方、切換部１０４は、普通充電モード時には、充電電力生成部１０１で生成された電力が複数の充電予約車両に対して並列に供給されるようにする。つまり、切換部１０４は、高速充電モード時にはシリアル（順次）充電が行われるように接続を切り換え、普通充電モード時にはパラレル充電が行われるように接続を切り換える。
【００２７】
制御部１０２は、充電電力生成部１０１の電力生成動作、及び、切換部１０４の切換動作を制御する。制御部１０２は、切換部１０４の切換動作を、スケジューラー１０３で作成した充電スケジュールに基づいて制御する。制御部１０２は、ＩＤ認証部１０６、予約受付部１０５及び課金部１０７に接続されている。
【００２８】
ＩＤ認証部１０６は、ＩＣカードリーダを有し、ＩＣカードリーダによって、車両のユーザが所持するＩＣカードのＩＤを読み取る。実際上、ＩＤ認証部１０６は、サーバ（図示せず）と接続されており、ＩＣカードリーダによって読み取られたＩＤに一致するＩＤがサーバに格納されている場合には、制御部１０２にＩＤが認証されたことを通知する。制御部１０２は、この通知を受信すると、充電予約及び充電を許可する。
【００２９】
なお、充電予約及び充電を許可する方法は、ＩＣカードのユーザＩＤを認証する方法に限らない。例えば、携帯電話または指紋、虹彩等の個人認証データを用いてユーザＩＤを特定することで、充電予約及び充電を許可してもよい。また、個人認証の代わりに、現金が前払いされたことを検知することで、充電予約及び充電を許可してもよい。
【００３０】
予約受付部１０５は、タッチパネル構成でなり、充電状態や充電予約状態を表示できると共に、充電予約を受け付けることができるようになっている。
【００３１】
図２に、予約受付部１０５の構成例を示す。
【００３２】
予約受付部１０５は、予約順番表示エリア１２０、充電順番表示エリア１３０、充電状態表示エリア１４０、優先予約表示エリア１５０を有する。
【００３３】
予約順番表示エリア１２０には、ケーブル１１０に接続された車両の順番が接続された順に表示される。図２の表示例は、図１における駐車場番号が２→５→４→３の順にケーブル１１０に車両が接続された例である。順次予約は、ケーブル１１０に接続された車両の順番でなさされる。つまり、順次予約の順番は、２→５→４→３の車両順である。
【００３４】
充電順番表示エリア１３０には、これから充電が行われる車両の順番が表示される。図２の表示例は、これから図１における３→４の車両順に充電が行われることを示す。なお、この順番は、スケジューラー１０３によって、優先予約を考慮して並べられた順番である。すなわち、優先予約を考慮しない場合には、予約順番表示エリア１２０に表示されているように、４→３の順番で充電が行われることになるが、本実施の形態では優先予約を考慮して、３→４の順番で充電が行われる。
【００３５】
充電状態表示エリア１４０には、現在の充電状態が表示される。図中左側の棒グラフには各車両の充電残量が色によって表示される。また、棒グラフの隣には、充電終了状態か、充電中か、充電予約中（充電待機中）かが表示される。図の例では、番号２の車両は、充電が終了しており満充電状態であることが表示されている。番号５の車両は、充電中であり、満充電に対して６割程度充電されていることが表示されている。番号４の車両は、充電予約中であり、満充電に対して３割程度の充電状態であることが表示されている。番号３の車両は、充電予約中であり、満充電に対して４割程度の充電状態であることが表示されている。
【００３６】
因みに、車載のバッテリーが充電履歴記憶タイプであれば、ケーブル接続後高速充電前に充電履歴及び現在の充電量を読み取り、充電完了時間を予測し、それを表示してもよい。
【００３７】
優先予約表示エリア１５０には、優先予約された車両であるか否かが表示される。図の例では、番号３の車両が優先予約された車両であることが表示されている。
【００３８】
さらに、予約受付部１０５には、優先予約ボタン１６０と、繰り下げ許可ボタン１７０と、が設けられている。優先予約ボタン１６０は、自車よりも先にケーブル１１０に接続された車両よりも優先して（つまり時間的に前に）、充電を行うことを希望することを入力するためのボタンである。繰り下げ許可ボタン１７０は、自車よりも後からケーブル１１０に接続した車両の中に、自車よりも優先して（つまり自車よりも時間的に前に）、充電を行うことを許可することを入力するためのボタンである。繰り下げ許可ボタン１７０が押下された場合には、繰り下げ許可表示部(図２では図示せず)で順番待ち中の車両の繰り下げ許可等を表示させるようにすれば、最後尾の充電予約車両の運転手が優先予約をするとどの程度充電完了時間が早くなるかを予約受付部１０５を見ながら判断可能となる。図２の例は、番号４の車両のユーザが繰り下げ許可ボタン１７０を押圧し、番号３の車両のユーザが優先予約ボタン１５０を押圧した結果、スケジューラー１０３によって、充電の順番が３→４の車両順に並べ替えられたものである。
【００３９】
図３に、本実施の形態の動作について説明する。
【００４０】
ステップＳ１で車両が駐車場２００へ入車し、ステップＳ２でその車両が空車スペースに駐車し、ステップＳ３でその車両に充電スタンド１００の充電ケーブル１１０が接続される。充電ケーブの接続は、車両の運手者が行ってもよいし、駐車場２００の係員が行ってもよい。
【００４１】
ステップＳ４では、予約受付部１０５の繰り下げ許可ボタン１７０を介して、車両のユーザから繰り下げの許可又は不許可が入力される。制御部１０２は、繰り下げが許可されたか否かを記憶しておく。
【００４２】
ステップＳ５では、制御部１０２が現在先着車両が充電中であるか否か判断する。先着車両が充電中でない場合、ステップＳ６に移って、制御部１０２が、切換部１０４の接続を当該車両に切り換える等の、充電開始操作を行い、続くステップＳ１２で当該車両に充電を行う。
【００４３】
先着車両が充電中の場合、ステップＳ７に移って、制御部１０２が、充電予約車両が有るか否か判断する。充電予約車両が無い場合には、ステップＳ１０に移って、現在充電中の車両の次に当該車両を充電するための充電予約操作を行う。一方、ステップＳ７で充電予約車両があると判断すると、ステップＳ８に移る。ステップＳ８で、制御部１０２は、繰り下げ許可車両が有るか否か判断する。繰り下げ許可車両が無い場合には、ステップＳ１０に移って、前に予約された車両の次に当該車両を充電するための予約操作を行う。
【００４４】
これに対して、ステップＳ８で繰り下げ許可車両が有ると判断すると、ステップＳ９に移る。ステップＳ９で、制御部１０２は、優先予約がされたか否か判断する。つまり、制御部１０２は、予約受付部１０５の優先予約ボタン１６０を介して、車両のユーザから優先予約の入力があったか否か判断する。優先予約がされなかった場合、ステップＳ１０に移って、前に予約された車両の次に当該車両を充電するための予約操作を行う。これに対して、優先予約がされた場合（優先予約ボタン１６０が押圧された場合）、ステップＳ１１に移って、優先予約操作を行う。つまり、優先予約操作は、繰り下げ許可車両が有り、かつ、優先予約希望の車両が有る場合に行われる。優先予約操作は、基本的には、繰り下げ許可車両の前に、優先予約希望車両の充電が行われるように、充電する順番（充電スケジュール）を変更する操作である。
【００４５】
ステップＳ１２で充電が行われ、ステップＳ１３で充電が完了し、ステップＳ１４で充電ケーブル１１０が車両から取り外される。なお、ステップＳ１３で充電が完了したときに、電子メール等で充電が完了したことを通知すると、速やかな退車又は駐車位置移動を促すことができ、充電が完了しているにも拘わらず駐車場を占有されることを防止できる。
【００４６】
ステップＳ１５では、操作パネル等に継続駐車を希望するか否かを表示し、その回答を受け付ける。継続駐車を希望した車両は、ステップＳ１６で一般駐車場に移動される。因みに、充電完了後の所定時間以内に車を移動等しなければ、所定時間経過ごと、または１日または週単位等で割増駐車料金を課金するようにすれば、充電用の駐車場の占有をより防止できる。
【００４７】
ステップＳ１７では出車ゲートで料金が精算され、ステップＳ１８では車両が駐車場から出車する。料金は、課金部１０７によって計算される。課金部１０７は、充電料金、割引料金、継続駐車料金等を加味して請求料金を計算する。
【００４８】
ここで、ステップＳ１１における優先予約操作が行われた場合の好ましい課金の例を、図４Ａ及び図４Ｂに示す。図４Ａ及び図４Ｂの処理は、課金部１０７で行われる。
【００４９】
先ず、図４Ａの課金例について説明する。ステップＳ２０では、優先予約を行った車両に対して通常の充電料金の３割増しの課金を行う。ステップＳ２１では、優先予約を行うことが原因となって充電の順番が繰り下がる車両が複数存在するか否か判断する。順番が繰り下がる車両が複数存在する場合には、ステップＳ２２に移って、優先予約車両への課金によって発生する３割増しの料金を、順番が繰り下がる複数の車両に均等割して、それらの車両の充電料金から差し引く。一方、順番が繰り下がる車両が複数存在しない場合（つまり順番が繰り下がる車両が１台のみの場合）には、ステップＳ２３に移って、優先予約車両への割増課金によって発生する利益を、順番が繰り下がる車両の充電料金から差し引く。
【００５０】
次に、図４Ｂの課金例について説明する。ステップＳ３０では、優先予約を行った車両に対して通常の充電料金の３割増しの課金を行う。ステップＳ３１では、優先予約を行うことが原因となって充電の順番が繰り下がる車両が複数存在するか否か判断する。順番が繰り下がる車両が複数存在する場合には、ステップＳ３２に移って、優先予約車両への課金によって発生する３割増しの料金を、順番が繰り下がる複数の車両に均等割して、それらの車両に繰り下げ優待ポイントとして付与する。一方、順番が繰り下がる車両が複数存在しない場合（つまり順番が繰り下がる車両が１台のみの場合）には、ステップＳ３３に移って、優先予約車両への割増課金によって発生する利益を、順番が繰り下がる車両に繰り下げ優待ポイントとして付与する。因みに、図４Ａ及び図４Ｂの例では、割増課金によって発生する利益を繰り下げ許可車両で均等割りしたが、繰り下げ許可車両の中で始めに充電の順番が巡ってくるものから大きな分配により重み付けを行ってもよいし、その逆で重み付けを行ってもよい。
【００５１】
このように、優先予約車両への割増課金によって発生する利益を、順番が繰り下がる車両に分配するようにしたことにより、順番の繰り下がりに同意する（繰り下がりを許可する）車両を増やすことができ、優先予約できる可能性を増加させることができる。因みに、図４Ｂに示したように、優先予約車両への割増課金によって発生する利益を、順番が繰り下がる車両に繰り下げ優待ポイントとして付与するようにすれば、充電スタンドの継続利用を促進できるようになる（所謂常連さんを作ることができる）。
【００５２】
なお、図４Ａ及び図４Ｂの例では、優先予約車両への割増課金によって発生する利益を、順番が繰り下がる車両に分配したが、優先予約車両への割増課金によって発生する利益は充電スタンド１００の管理者が受けるようにしてもよい。
【００５３】
また、図４Ａ等の例では、優先予約車両に対して３割増しの課金としたが、優先予約希望車両および繰り下がり許可車両の台数に応じて、５割増し等時間的に可変させてもよい。このような優先予約車両利用への割増料金の課金および繰り下げ車両への充電料金の値下げまたは優待ポイントの付与は、駐車場への入車時のＩＣカードを使用してもよいし、プリペイドカード、市販のクレジットカードまたは携帯電話の課金／ポイント機能を利用してもよい。
【００５４】
また、本実施の形態では、繰り下げ許可ボタン１７０により事前に繰り下げ許可を申請させることとしているが、この場合優先予約車両が次々と来ると、繰り下げ許可車両が永遠に充電されないという不具合も想定されるため、最大繰り下げ許可回数を入力させるようにしてもよい。さらに事前の繰り下げ許可申請ではなく、優先予約希望者によって、優先予約ボタン１６０が押下されたときに充電待ち車両にe-mail等で通知して、許可／不許可を回答させることとしてもよい。
【００５５】
また、本実施の形態では、充電ケーブル１１０が４本の場合を例として説明したが、充電ケーブル１１０は電力容量の許す範囲で８本など任意の本数でよく、また同時充電可能台数が１台ではなく、２台の場合であっても適用可能である。
【００５６】
さらに、普通充電においても例えば８台までケーブル接続可能であるが、そのうち同時充電が４台までしかできない場合に、同様に充電待ちが想定されるが、そのような場合にも本発明が適用可能である。
【００５７】
以上説明したように、本実施の形態の充電スタンド１００によれば、複数の充電対象車両に対して順次充電を行う充電スタンド１００であって、車両に供給する充電電力を生成する充電電力生成部１０１と、充電電力生成部１０１によって生成された充電電力を供給する充電対象車両を切り換える切換部１０４と、充電予約を受け付ける予約受付部１０５と、充電予約に基づいて、切換部１０４のスケジューリングを行うスケジューラー１０３と、を設け、予約受付部１０５は、受け付ける予約項目として、優先予約を含み、スケジューラー１０３は、優先予約が行われた車両を、順次予約が行われた車両に割り込ませて、先に電力供給が行われるようにスケジューリングする、ようにした。
【００５８】
この構成によれば、優先予約が行われた車両を、順次予約が行われた車両に割り込ませて、先に電力供給が行われるようにスケジューリングするので、充電を早く終わらせなくてもよいユーザの車両よりも、充電を早く終わらせたいユーザの車両を優先して充電できるようになる。この結果、様々な希望を持った不特定多数のユーザに対して柔軟に対応して、ユーザの希望する充電を行うことができるようになる。
【００５９】
また、本実施の形態によれば、予約受付部１０５は、順次予約が行われた車両に、優先予約による割込を許可するか否かを問い合わせる、ようにした。
【００６０】
この構成によれば、充電を早く終わらせなくてもよいユーザの車両（つまり割込を許可するユーザの車両）のみ、充電の順番が繰り下がるので、ユーザの希望をより反映した充電を行うことができるようになる。
【００６１】
また、本実施の形態によれば、予約受付部１０５は、タッチパネル構成であり、優先予約入力部（優先予約ボタン１６０）及び繰り下げ許可入力部（繰り下げ許可ボタン１７０）を有する。
【００６２】
この構成によれば、優先予約及び繰り下げ許可（割込許可）を容易に行うことができる。
【００６３】
また、本実施の形態によれば、予約受付部１０５は、さらに、現時点における他車の充電残量状況を表示する表示部（充電状態表示エリア１４０）を有する。
【００６４】
この構成によれば、ユーザは、自分よりも先に予約している車両の充電残量から、充電待ち時間がどの程度かを推測できるので、例えば優先予約を行うか否かの目安とすることができる。
【００６５】
また、本実施の形態では、スケジューラー１０３は、高速充電モード時には、複数の充電予約車両に対して、順次予約及び優先予約に基づくシリアル充電を行い、普通充電モード時には、複数の充電予約車両に対して、パラレル充電を行う。
【００６６】
また、本実施の形態によれば、優先予約を行う場合は、通常の充電料金に加えて追加料金を課金する。また、本実施の形態によれば、追加料金は、充電の順番が繰り下がる車両のユーザに配分される。また、本実施の形態によれば、追加料金は、充電の順番が繰り下がる車両のユーザに優待ポイントとして配分される。
【００６７】
この構成によれば、優先予約車両への割増課金によって発生する利益を、順番が繰り下がる車両に分配するようにしたことにより、順番の繰り下がりに同意する（繰り下がりを許可する）車両を増やすことができ、優先予約できる可能性を増加させることができる。
【００６８】
なお、上述の実施の形態では、優先予約を行った車両は、予約の繰り下げを許可した車両に対してのみ、優先的に充電を行う場合について述べたが、例えば、最優先予約ボタン(図示せず)を押下すると、消防車、救急車等の緊急車両に対して、予約の繰り下げを許可していない車両や既に充電中の車両よりも優先して（その車両の充電を中止して）、充電を行うようにしてもよい。
【００６９】
また、上述の実施の形態では、充電スタンドが１つの場合で説明したが、高速充電スタンドと普通充電スタンドと単なる駐車場の３つが、混在した駐車場システムであってもよい。この場合、充電スタンドの空き状況等および自分のスケジュール等から運転手が適宜高速充電スタンド等を選択することが可能となる。
【産業上の利用可能性】
【００７０】
本発明は、高速充電スタンドのように、複数の充電対象車両に対して順次充電を行う充電スタンドに好適である。
【符号の説明】
【００７１】
１００  充電スタンド
１０１  充電電力生成部
１０２  制御部
１０３  スケジューラー
１０４  切換部
１０５  予約受付部
【図１】
2013042579.tif 000003
【図２】
2013042579.tif 000004
【図３】
2013042579.tif 000005
【図４Ａ】
2013042579.tif 000006
【図４Ｂ】
2013042579.tif 000007